(57)【特許請求の範囲】
【請求項１】
電話機本体とスピーカを有するクレードルとを備えた固定電話機において、
複数の互いに異なる機能を備えたクレードルと前記電話機本体とを分離、連結可能に夫々に構成すると共に、
個々の互いに異なる機能を備えたクレードル側面に、該クレードルの内部を閉塞させると共に、該クレードルに設けられたスピーカに起因するハウリングを低減するための空間を音響的に規定して形成された凹部を設け、
何れかの互いに異なる機能を備えたクレードルと前記電話機本体とを連結させた状態で、連結されたクレードル側面に設けられた凹部による空間を介して、該クレードルと前記電話機本体との音響的分離を図ると共に、構造的に両筐体を密着させた外観を得られるように前記凹部を前記電話機本体の側面に当接させた状態に連結可能に構成した
ことを特徴とする固定電話機。
【請求項２】
請求項１において、
前記クレードルの側面には、前記電話機本体との連結用リブが設けられ、
前記電話機本体の側面には、前記連結用リブを受ける突起が設けられている
ことを特徴とする固定電話機。
【請求項３】
請求項１又は２において、前記クレードルと前記電話機本体とは、前記空間を規定する前記凹部によって、熱的に前記クレードルと前記電話機本体との分離を前記音響的分離と共に行なうことを特徴とする固定電話機。
【請求項４】
請求項１〜３のいずれか一項において、前記電話機本体はディスプレイ部を備え、当該ディスプレイ部は取替え可能であることを特徴とする固定電話機。
【請求項５】
請求項４において、前記電話機本体は更にキー部を備え、当該キー部は取り換え可能であることを特徴とする固定電話機。
【請求項６】
請求項２〜５のいずれか一項において、前記クレードルに形成される凹部は、枠部によって規定されており、該クレードルに設けられているスピーカの側面あたる範囲は前記枠部の範囲内に含まれ且つ前記電話機本体に設けられるマイクへの音響経路を筐体間で前記枠部を用いて音響的に閉塞を図ると共に、前記クレードルを連結する前記連結用リブよりも上面側に寄った形状に整形されていることを特徴とする固定電話機。
【発明の詳細な説明】
【技術分野】
【０００１】
本発明は、ＩＰ電話機等の固定電話機、特に、ボタン電話機に関する。
【背景技術】
【０００２】
一般に、この種の固定電話機、特に、ボタン固定電話機は、ダイヤルキー、ワンタッチキー、保留キー等を搭載した電話機本体と、ハンドセットである送受器を受けるクレードルとを備えている。このようなボタン固定電話機では、クレードルに、ハンドセットを支持する支持部の他に、スピーカー、フックスイッチ等が設けられている。
【０００３】
特許文献１には、電話機本体に保留キーを設けることなく、ハンドセットをクレードルに引っ掛けることによって、保留機能を達成する電話機が開示されている。
【０００４】
一方、特許文献２には、マイクロホンを備えたハンドセットをクレードルから取り外して通話を行う電話機が開示されている。特許文献２に示された電話機では、ハンドセットと利用者とが近接しているか否かに応じて、マイクロホンから出力される音声信号の通話相手への送出を停止することにより、通話相手との会話を中断することができる。この結果、通話相手に聞かれたくないような会話を遮断できる。
【０００５】
【特許文献１】特開平７−１２３１３９号公報
【特許文献２】特開２００５−１２３６４号公報
【発明の開示】
【発明が解決しようとする課題】
【０００６】
特許文献１に示されるような固定電話機では、ダイヤルキー等を搭載した電話機本体と、ハンドセットを載置するためのクレードルとが一体化されている。また、特許文献２では、ダイヤルキー等、電話機本体を一体化して組み込んだクレードルが開示されている。
【０００７】
特許文献１及び２に示された以外にも、標準タイプの電話機だけでなく、停電用電話機、コードレス対応に充電端子を備えた電話機等、種々の形式の固定電話機がある。また、互いに異なるサイズのディスプレイを備えた固定電話機、電話機本体に設置されるボタンの数が異なる電話機も多数存在している。
【０００８】
一方、特許文献１に示されているように、従来、固定電話機では、電話機本体とクレードルとは一体化されたものとして取り扱われている。このため、電話機本体とクレードルとを一体化した固定電話機を製造する場合、全ての種類の固定電話機に対応した金型等を用意しておく必要がある。
【０００９】
このように、固定電話機の電話機本体とクレードルとを一体化させた構成では、クレードルにスピーカーが含まれているため、電話機本体のマイクとスピーカーによるハンドセットを使用しないハンズフリー通話をしている間に、このマイクとスピーカーによるハウリング等が生じ、通話が聞き取り難くなる場合があった。また、電話機では、通話中に電話機本体ユニットに搭載した半導体等から熱が発生し、この熱がクレードルに置いたハンドセットに伝わり、ハンドセットの温度上昇により、使用すると不快感を与えることもあった。即ち、従来の固定電話機では、クレードルと電話機本体とを一体化させた場合に生じるハウリングの問題及びハンドセットの温度上昇の問題について何等考慮されていない。
【００１０】
更に、固定電話機本体とクレードルとを一体化させた構成を採用した場合、機種の変更、機能の変更等を行なう際、使用される金型等を全て作製し直す必要があり、機種の変更等に柔軟に対処できないと云う欠点がある。また、利用者の嗜好に応じて、固定電話機の外観を変更することも出来ない。
【００１１】
本発明の課題は、通話中に生じるハウリング或いはハンドセットの温度上昇の問題を解決できる固定電話機を提供することである。
【００１２】
本発明の他の課題は、利用者の嗜好に合わせて外観を変更できる固定電話機を提供することである。
【課題を解決するための手段】
【００１３】
本発明の態様によれば、電話機本体とクレードルとを備えた固定電話機において、複数の互いに異なる機能を備えたクレードルと前記電話機本体とを分離、連結可能に夫々に構成すると共に、個々の互いに異なる機能を備えたクレードル側面に、該クレードルの内部を閉塞させると共に、該クレードルに設けられたスピーカに起因するハウリングを低減するための空間を音響的に規定して形成された凹部を設け、何れかの互いに異なる機能を備えたクレードルと前記電話機本体とを連結させた状態で、連結されたクレードル側面に設けられた凹部による空間を介して、該クレードルと前記電話機本体との音響的分離を図ると共に、構造的に両筐体を密着させた外観を得られるように前記凹部を前記電話機本体の側面に当接させた状態に連結可能に構成したことを特徴とする固定電話機が得られる。
【発明の効果】
【００１４】
本発明によれば、通話中におけるハウリング等を軽減でき、且つ、利用者の好みに応じて外観を変更できる固定電話機が得られる。更に、本発明では、ハンドセット等の温度上昇を防ぐことができる固定電話機が得られる。
【発明を実施するための最良の形態】
【００１５】
図１を参照すると、本発明の一実施形態に係る固定電話機は、電話機本体１０と、当該電話機本体１０と分離して設けられ、電話機本体１０と連結可能なクレードル１１とによって構成されている。図示されたクレードル１１は、３種類のクレードル１１ａ、１１ｂ、及び１１ｃを含み、いずれも右側面に電話機本体１０と連結するためのリブ１３を備えている。クレードル１１ａ、１１ｂ、１１ｃの連結用リブ１３を受けるために、電話機本体１０の左側面には、突起３６が設けられている。
【００１６】
クレードル１１ａは、長手方向中央部に配置されたスピーカー１５、長手方向上部に設けられたフックスイッチ１７、及び、長手方向下部に設けられたハンドセット受け部１９を有している。他方、クレードル１１ｂは、クレードル１１ａと同様に、スピーカー１５、フックスイッチ１７、及び、ハンドセット受け部１９を備えると共に、スピーカー１５とハンドセット受け部１９との右側に回線スイッチ２１を備えている。
【００１７】
更に、クレードル１１ｃは、コードレス用クレードルであり、クレードル１１ｃの上部及び下部にハンドセット受け部１９ａ及び１９ｂを備えている。また、下部のハンドセット受け部１９ｂには、充電端子２３が設けられると共に、上部ハンドセット受け部１９ａの右側には、アンテナ２５が設けられている。
【００１８】
上記したクレードル１１ａ〜１１ｃの連結用リブ１３は互いに同じ間隔及びサイズを有しており、このため、クレードル１１ａ〜１１ｃはいずれも電話機本体１０の突起３６と連結できるし、また、連結されたクレードル１１ａ〜１１ｃを電話機本体１０から取り外すことができる。
【００１９】
一方、電話機本体１０は、クレードル１１ａ〜１１ｃの連結用リブ１３を受ける突起３６を備えると共に、ディスプレイ部３０、ラインキー部３１、ダイヤルキー部３３、及びファンクションキー部３５を有している。図示されたファンクションキー部３５には、カーソルキー３７も含まれている。
【００２０】
ここで、図示された電話機本体１０のディスプレイ部３０、ラインキー部３１、ダイヤルキー部３３、及びファンクションキー部３５は、それぞれ取替え可能である。図１の右端には、ディスプレイ部３０、ラインキー部３１、ダイヤルキー部３３、及びファンクションキー部３５を取り外した状態が示されている。
【００２１】
したがって、本発明に係る電話機本体１０は、互いに異なる外観を有するディスプレイ部３０、ラインキー部３１、ダイヤルキー部３３、及びファンクションキー部３５を装着することができ、利用者の好みに応じたキー配列或いは色の電話機本体１０を構成できる。
【００２２】
図２を参照すると、クレードル１１ｂの具体例が示されている。図示されているように、クレードル１１ｂの側面下部には、４つのリブ１３が長手方向に間隔を置いて配置され、電話機本体１０との接続用端子部４０が設けられている。また、クレードル１１ｂの上面には、図１と同様に、フックスイッチ１７、スピーカー１５、ハンドセット受け部１９、及び、回線スイッチ２１が設けられている。
【００２３】
図示されたクレードル１１ｂの側面下部の上側に設けられた側面上部は、枠部４３によって縁取られた凹部４４を備えている。当該凹部４４を含む側面により、クレードル１１ｂの内部は閉塞されている。ここで、図示されたクレードル１１ｂが電話機本体１０に連結された場合、クレードル１１ｂの枠部４３が電話機本体１０の側面に接触した状態となり、凹部４４が電話機本体１０とクレードル１１ｂとの間に空間を形成する。図示された凹部４４の深さは１ｍｍ程度である。
【００２４】
このように、クレードル１１ｂの側面に凹部４４を設け、クレードル１１ｂが電話機本体１０に連結された場合に、電話機本体１０との間に１ｍｍ程度の空間を形成することにより、クレードル１１ｂを音響的に電話機本体１０から分離すると共に、熱的にも電話機本体１０から遮断することができる。
【００２５】
このように、クレードル１１ｂと電話機本体１０とを空間により音響的に分離することによって、スピーカからの音声が回り込んでハウリングを起こすのを防止できると共に、電話機本体１０からの熱によりハンドセットが加熱されるのを防止することができる。
【００２６】
したがって、クレードル１１ｂと電話機本体１０との間に空間を介して連結することは、音響的及び熱的に遮断するために極めて重要な構成である。
【００２７】
図２では、クレードル１１ｂを例にとって説明したが、側面に凹部４４を設け、空間を介して電話機本体１０と連結することは、他のクレードル１１ａ、１１ｃにおいても同様である。
【００２８】
以下、本発明の態様を列挙しておくと、本発明の第１の態様によれば、電話機本体とクレードルとを備えた固定電話機において、前記クレードルと前記電話機本体とを分離、連結可能に構成し、且つ、前記クレードルと前記電話機本体との連結の際、空間を介して連結されるように構成したことを特徴とする固定電話機が得られる。
【００２９】
本発明の第２の態様によれば、第１の態様において、前記クレードルの側面には、前記電話機本体との連結用リブが設けられていることを特徴とする固定電話機が得られる。
【００３０】
本発明の第３の態様によれば、第２の態様において、前記電話機本体の側面には、前記連結用リブを受ける突起が設けられていることを特徴とする固定電話機が得られる。
【００３１】
本発明の第４の態様によれば、第１〜３の態様のいずれかにおいて、前記クレードルの側面には、前記空間を規定する凹部が設けられていることを特徴とする固定電話機が得られる。
【００３２】
本発明の第５の態様によれば、第１〜４の態様のいずれかにおいて、前記電話機本体には、互いに異なる機能を備えたクレードルを連結できることを特徴とする固定電話機が得られる。
【００３３】
本発明の第６の態様によれば、第１〜５の態様のいずれかにおいて、前記クレードルと前記電話機本体とは、前記空間を規定する側面によって、音響的及び熱的に分離されていることを特徴とする固定電話機が得られる。
【００３４】
本発明の第７の態様によれば、第１〜６の態様のいずれかにおいて、前記電話機本体はディスプレイ部を備え、当該ディスプレイ部は取替え可能であることを特徴とする固定電話機が得られる。
【００３５】
本発明の第８の態様によれば、第７の態様において、前記電話機本体は更にキー部を備え、当該キー部は取り換え可能であることを特徴とする固定電話機が得られる。
【産業上の利用可能性】
【００３６】
以上説明したように、本発明は、クレードルと電話機本体を機械的に分離しておき、クレードルと電話機本体とを空間を介して連結する構成の固定電話機を構成し、これによって、ハウリング等の音響的な不具合を低減することができる。また、電話機本体における各パーツを取替え可能にすることにより、利用者に好みに応じて外観を変更できる電話機を構成できる。
【００３７】
上記した実施形態では、電話機本体の各種キー部を取替え可能にする場合について説明したが、電話機本体の他の各種パーツを取替え可能にすることも可能である。
【図面の簡単な説明】
【００３８】
【図１】本発明に係る固定電話機の構成を示す分解図である。
【図２】図１に示されたクレードルを具体的に説明するための斜視図である。
【符号の説明】
【００３９】
１０                                    電話機本体
１１、１１ａ、１１ｂ、１１ｃ            クレードル
１３                                    リブ
１５                                    スピーカー
１７                                    フックスイッチ
１９、１９ａ、１９ｂ                    ハンドセット受け部
２１                                    回線スイッチ
２３                                    充電端子
２５                                    アンテナ
３０                                    ディスプレイ部
３１                                    ラインキー部
３３                                    ダイヤルキー部
３５                                    ファンクションキー部
３７                                    カーソルキー
４０                                    接続端子
４３                                    枠部
４４                                    凹部
【図１】
0005115713.tif 000002
【図２】
0005115713.tif 000003